(57)【要約】【課題】  取り扱い性よく、全体図と各ページの地図とを同時に見渡せる地図帳、ガイドブックを提供すること。【解決手段】  複数のページを有する地図帳において、当該地図帳は、当該地図帳の幅と等しい幅の通常ページと、当該地図帳の縦方向と平行にのみ折りたたまれ収納されている、当該通常ページよりも幅の広い幅広ページとを有する。幅広ページには、幅広ページを開いた場合に通常ページに対応する領域以外の領域に、通常ページに記載された範囲を含む地図が通常ページよりも小さい縮尺で記載される。【選択図】  図６
2005345863.tif 000002
【特許請求の範囲】
【請求項１】
複数のページを有する地図帳において、
当該地図帳の幅と等しい幅の通常ページと、
当該地図帳の縦方向と平行にのみ折りたたまれ収納されている、当該通常ページよりも幅の広い幅広ページとを有し、
該幅広ページには、該幅広ページを開いた場合に前記通常ページに対応する領域以外の領域に、前記通常ページに記載された範囲を含む地図が該通常ページよりも小さい縮尺で記載される、
ことを特徴とする地図帳。
【請求項２】
前記幅広ページには、鉄道の路線が記載された鉄道路線図が記載され、前記通常ページには、該鉄道路線図に記載された所定の駅と対応づけられて、該駅周辺の地図が記載される、
ことを特徴とする請求項１記載の地図帳。
【請求項３】
前記幅広ページには、高速道路の路線が記載された高速道路図が記載され、前記通常ページには、該高速道路図に記載された所定のインターチェンジと対応づけられて、該インターチェンジ周辺の地図が記載される、
ことを特徴とする請求項１記載の地図帳。
【請求項４】
複数のページを有する地図帳において、
当該地図帳の幅と等しい幅の通常ページと、
当該地図帳の縦方向と平行にのみ折りたたまれ収納されている、当該通常ページよりも幅の広い幅広ページとを有し、
前記幅広ページには、該幅広ページを開いた場合に前記通常ページに対応する領域以外の領域に、所定の事物を案内する案内情報が記載され、
前記通常ページには、前記案内情報と対応づけられて、該案内情報が案内する前記事物に係る地図が記載される、
ことを特徴とする地図帳。
【請求項５】
表紙の前小口に切り欠きを有する、ことを特徴とする請求項１ないし４項いずれか記載の地図帳。
【請求項６】
前記幅広ページの前小口に凸部を有する、ことを特徴とする請求項１ないし５項いずれか記載の地図帳。
【請求項７】
複数のページを有するガイドブックにおいて、
当該ガイドブックの幅と等しい幅の通常ページと、
当該ガイドブックの縦方向と平行にのみ折りたたまれ収納されている、当該通常ページよりも幅の広い幅広ページとを有し、
該幅広ページには、該幅広ページを開いた場合に前記通常ページの幅よりも小口方向に離れた領域に、前記通常ページに記載された案内情報が案内する事物に係る地図が、当該案内情報と対応づけられて記載される、
ことを特徴とするガイドブック。
【請求項８】
表紙の前小口に切り欠きを有する、ことを特徴とする請求項７記載のガイドブック。
【請求項９】
前記幅広ページの前小口に凸部を有する、ことを特徴とする請求項７又は８記載のガイドブック。
【発明の詳細な説明】
【技術分野】
【０００１】
本発明は、地図帳又はガイドブックに関し、特に、地図帳又はガイドブックの２カ所以上のページを同時に見渡すことができる地図帳又はガイドブックに関する。
【背景技術】
【０００２】
目的の場所を調べたりルート探索を行うために地図が用いられる。地図は、収録する領域が広い場合や縮尺が大きい場合、地図を記載する紙面が大きくなるため、従来、折りたたまれた形態や冊子の形態の地図帳が提案されている（例えば、特許文献１参照。）。特許文献１記載の地図帳は、長方形状の用紙の長辺を斜めに切り落として得られた地図表示用紙を屏風状に折りたたんで得られる。表紙に索引を設け、屏風状に折りたたまれた際に現れる余白部分に索引見出しを設けることで、ユーザは目的の場所が記載された折りたたみ部分を開くことができる。
【０００３】
しかしながら、特許文献１記載の地図帳は、地図として収録する領域が広くなると索引領域も比例して大きくなり、折りたたんだ状態の地図帳が大きくなるという問題がある。したがって、広範囲の領域を収録する地図としては不向きである。
【０００４】
冊子の形態の地図帳は、各ページに地図を記載しており、表紙や裏表紙等の索引に基づき、目的とする場所が記載されたページを開くことができる。しかし、冊子形態の地図帳では、各ページ毎に詳しい（縮尺の大きい）地図を記載できるが、縮尺の小さい地図を用いて広範囲の領域を一望することができない。したがって、例えば、出発地から目的地まで地図上で経路をたどるような場合、複数又は不連続にページをめくる必要があり不便であった。
【０００５】
この点に関し、冊子形態の地図帳の表紙や裏表紙等に、当該地図帳に収録された領域の全体図を小さい縮尺で記載し、該全体図をマス目状に区切り各マス目に索引としてページ番号を付する地図帳が用いられている。ユーザは、各マス目に付されたページ番号に基づき詳しい地図を各ページで参照し、広範囲の領域を一望したり経路をたどるような場合には、全体図を参照することができる。
しかしながら、地図帳の表紙や裏表紙等に全体図が記載されていた場合、各ページに記載された地図と全体図とを同時に見渡せない。例えば、所定のページを開いていて、該ページには記載されていない場所の地図を見たい場合、いったん当該ページを閉じて、表紙又は裏表紙の全体図を参照し、所望の場所が何ページの地図に記載されているか調べなければならない。
また、出発地点から目的地までの経路をたどるような場合、全体図と通過エリアとなる各ページの地図を何度も見比べる必要が生じる場合がある。このような作業は、土地勘のないユーザや地図帳を見慣れないていないユーザにとって負担が大きく、従来、目的地への最短ルートや効率のよいルートを探索する場合の使い勝手は良好でなかった。
【０００６】
これに対し、各ページの余白等に、当該ページの隣接エリアを含んだ縮尺の小さい地図が記載されていることがある。しかし、記載されているのは隣接エリアに限られているため、隣接エリア以外のページに記載された地図を参照する場合には、表紙又は裏表紙等の全体図を参照しなければならない。また、隣接エリアを含んだ地図は縮尺が小さいため、視認性が劣るという不都合がある。
【０００７】
また、表紙や裏表紙の見返し等に、各ページよりも大きな判型の用紙を設け、当該用紙に全体図を記載する地図帳が実施されている。図８は、表紙の見返しに判型の大きい用紙を設け全体図を記載した地図帳の一例を示す。当該地図帳は、判型の大きい用紙を広げることで、全体図と各ページに記載された地図とを同時に見渡すことができる。
【特許文献１】特開２００２−２４４５５０号公報
【発明の開示】
【発明が解決しようとする課題】
【０００８】
しかしながら、図８のような地図帳は、全体図を参照する場合に、異なる方向に少なくとも2回、用紙を広げる操作が必要であった。例えば、全体図が横（Ｘ方向）と縦（Ｙ方向）に1回ずつ折りたたまれている場合、Ｘ方向とＹ方向に用紙を広げる操作が必要となる。また、一度広げた用紙を収納する場合にも、異なる方向に少なくとも２回の操作が必要である。特に折りたたみ方が複雑な場合は、Ｘ方向とＹ方向のどちらを先に操作すべきか不明となり、折りたたみ作業に手間がかかる。
また、各ページをめくると当該用紙に記載された全体図の一部が隠れてしまうので、全体図の一部は、各ページと同時に見渡すことができない。
また、当該用紙を広げ、また、折りたたみを繰り返す際に、用紙の取り付け部Ｂにモーメント力が作用して、破れる可能性があった。破れた場合には、全体図を紛失する恐れが生じる。すなわち、図８のような地図帳は、全体図と各ページを同時に見渡す際の取り扱いが容易でなかった。
【０００９】
本発明は、上記の問題に鑑み、取り扱い性よく、全体図と各ページの地図とを同時に見渡せる地図帳、ガイドブックを提供することを目的とする。
【課題を解決するための手段】
【００１０】
上記問題を解決するため、本発明は、複数のページを有する地図帳において、当該地図帳の幅と等しい幅の通常ページと、当該地図帳の縦方向と平行にのみ折りたたまれ収納されている、当該通常ページよりも幅の広い幅広ページとを有し、該幅広ページには、該幅広ページを開いた場合に通常ページに対応する領域以外の領域に、通常ページに記載された範囲を含む地図が該通常ページよりも小さい縮尺で記載される、ことを特徴とする。本発明によれば、取り扱い性よく、全体図と各ページの地図とを同時に見渡せる地図帳を提供できる。なお、通常ページに対応する領域とは、幅広ページのうち、通常ページが重なって隠れてしまう領域をいう。したがって、通常ページに対応する領域以外の領域とは、幅広ページを開いた場合に、通常ページが重なって隠れない領域をいう。また、地図とは、地表の諸物体・現象を一定の約束にしたがって縮尺し、記号・文字を用いて平面上に表現した図をいう。したがって、地図には、表現する諸物体・現象に応じて適切な記号・文字が用いられる。なお、地図帳の判型は、Ａ４、ＡＢ、Ｂ５、Ａ５、四六、Ｂ６、Ａ６等いかなる大きさであってもよいし、これらを変形した判型であってもよい。例えば、開いた場合にＡ４判となるように設計すれば、閉じた状態では携帯に便利で、開いた場合に普段目にするＡ４判となるので好適である。
【００１１】
本発明の一形態において、幅広ページには地図の一例として、鉄道の路線が記載された鉄道路線図が記載され、通常ページには、該鉄道路線図に記載された所定の駅と対応づけられて、該駅周辺の地図が記載されることを特徴とする。本発明によれば、鉄道路線図と所望の駅周辺の地図を同時に見渡すことができる。
【００１２】
また、本発明の一形態において、幅広ページには地図の一例として、高速道路の路線が記載された高速道路図が記載され、通常ページには、該高速道路図に記載された所定のインターチェンジと対応づけられて、該インターチェンジ周辺の地図が記載されることを特徴とする。本発明によれば、高速道路図と所望のインターチェンジ周辺の地図を同時に見渡すことができる。
【００１３】
また、本発明は、複数のページを有する地図帳において、当該地図帳の幅と等しい幅の通常ページと、当該地図帳の縦方向と平行にのみ折りたたまれ収納されている、当該通常ページよりも幅の広い幅広ページとを有し、幅広ページには、該幅広ページを開いた場合に通常ページに対応する領域以外の領域に、所定の事物を案内する案内情報が記載され、通常ページには、前記案内情報と対応づけられて、該案内情報が案内する前記事物に係る地図が記載されることを特徴とする。本発明によれば、取り扱い性よく、案内情報と案内する事物に係る地図とを同時に見渡せる地図帳を提供できる。
【００１４】
また、本発明の一形態において、地図帳の表紙の前小口に切り欠きを有することを特徴とする。表紙に切り欠きを有することで、表紙を閉じたまま幅広ページを引き出すことが容易になる。
【００１５】
また、本発明の一形態において、幅広ページの前小口に凸部を有することを特徴とする。幅広ページが凸部を有することで、表紙を閉じたまま幅広ページを引き出すことが容易になる。
【００１６】
また、本発明は、複数のページを有するガイドブックにおいて、当該ガイドブックの幅と等しい幅の通常ページと、当該ガイドブックの縦方向と平行にのみ折りたたまれ収納されている、当該通常ページよりも幅の広い幅広ページとを有し、該幅広ページには、該幅広ページを開いた場合に前記通常ページの幅よりも小口方向に離れた領域に、前記通常ページに記載された案内情報が案内する事物に係る地図が、当該案内情報と対応づけられて記載されることを特徴とする。本発明によれば、取り扱い性よく、全体図と各ページの案内情報とを同時に見渡せるガイドブックを提供できる。
【００１７】
また、本発明の一形態において、ガイドブックの表紙の前小口に切り欠きを有し、又は、幅広ページの前小口に凸部を有する、ことを特徴とする。
【発明の効果】
【００１８】
取り扱い性よく、全体図と各ページの地図とを同時に見渡せる地図帳を提供することができる。
【発明を実施するための最良の形態】
【００１９】
本発明を実施するための最良の形態について、図面に基づき実施例を挙げて説明する。図１は、本実施の形態で説明する冊子の斜視図の一例を示す。図１（ａ）は、左綴じされた冊子が閉じた状態の斜視図を示す。冊子の綴じ方は、糸綴じ、無線とじ、針金綴じ、リング綴じ等、形式は問わない。また、背表紙があってもよい。
【００２０】
表紙２の次に、通常のページよりも幅が広い幅広ページが折りたたまれた状態で収納されている。表紙２及び折りたたまれた状態の幅広ページ３０を表紙側にめくると、図１（ｂ）に示すように、幅広ページ３０の第１部分３１が現れる。幅広ページ３０の端部３ａをＸ方向へ引くと、図１（ｃ）のように、幅広ページ３０の第２部分３２、第３部分３３が引き出される。幅広ページ３０は全体で１枚の用紙で構成されているので、次いで、図１（ｄ）のように、第４部分３４、第５部分３５が連続して引き出される。すなわち、幅広ページ３０の全体が１回（１方向）の操作で引き出される。幅広ページ３０を収納する場合は、Ｘ方向と反対方向に押し縮めるだけで折りたたみ跡に従い折りたたまれるので、１回の操作で収納できる。
【００２１】
幅広ページ３０の右側には、表紙とほぼ同じ判型かより小さい判型の複数のページ（以下、通常ページと称す）１０が綴じられている。図１（ｅ）は、図１（ｄ）の状態で通常ページ１０の各ページ１１及び１２を開いた状態を示す。図１（ｅ）に示すように、幅広ページ３０を引き出した状態で、通常ページ１０の各ページ開くと、幅広ページ３０に記載された内容と各ページに記載された内容を同時に見渡すことができる。
【００２２】
図１では、幅広ページ３０は５つの部分から成るが（図１では第１部分３１ないし第５部分３５）、本実施の形態では、幅広ページを開いた場合に通常ページに対応する領域以外の領域（第１部分３１ないし第４部分３４）に所望の情報を記載することを特徴とする。通常ページに対応する領域以外の領域は、通常ページ１０をめくっても通常ページ１０により隠れないので、幅広ページ３０に記載された内容と各ページに記載された内容を同時に見渡すことができる。
【００２３】
なお、幅広ページ３０は、第５部分３５を設けずに第４部分３４から始まるように構成してもよい。この場合、幅広ページ３０は、第１部分３１ないし第４部分３４で構成され、第４部分３４の端部３ｂが表紙２の前小口に貼付等される。  
幅広ページ３０の長さはユーザが広げ易い長さであることが好適であるが、幅広ページ３０の長さの上限は制限されない。また、図１（ｂ）では、第１部分３１と第２部分３２との間を山として折りたたんでいるが、折りたたみ方は逆（すなわち折りたたんだ状態で端部３ａが表紙２と隣接する）でもよい。
【００２４】
幅広ページは、裏表紙をめくると現れるようにしてもよい。図２（ａ）は、左綴じされた冊子が閉じた状態の斜視図を示す。図２（ａ）の冊子において通常ページ１０の最終ページをめくると、図２（ｂ）に示すように、幅広ページ４０が現れる。幅広ページ４０の第１部分４１の端部４ａをＸ２方向へ引くと、図２（ｃ）、図２（ｄ）のように幅広ページ４０が１回の操作で引き出される。図２（ｃ）や（ｄ）の状態で、通常ページ１０の各ページを開くと、例えば、図２（ｅ）に示すように、通常ページ１０の各ページ１１及び１２の内容と幅広ページ４０の内容とを同時に見渡すことができる。
【００２５】
図３は、幅広ページの他の例を示す。図３（ａ）は、右綴じの冊子において、幅広ページ４０の一部が引き出された状態の一例を示す。図３（ｂ）は、表紙側と裏表紙側のそれぞれに設けた幅広ページを引き出した状態の一例を示す。図３（ｃ）は、表紙側及び裏表紙側にそれぞれ３枚の幅広ページを備えた冊子の一例を示す。図３（ｃ）の冊子は、表紙側に幅広ページ３０、５０及び７０を、裏表紙側に、幅広ページ４０、６０及び８０を有する。また、幅広ページは、表紙をめくった１ページ目、又は、最終ページに設けなくともよく、冊子の中央や、章の区切り毎に設けてもよい。
【００２６】
続いて、幅広ページを有する冊子の表紙の形状の好適例について説明する。図４（ａ）は、表紙の前小口に切り欠き２１を有する冊子の一例を示す。切り欠き２１に、幅広ページの端部の一部が視認でき、また、切り欠き２１を有することで、表紙２を開かなくても幅広ページの端部を摘むことができる。したがって、ユーザは、幅広ページの存在を一目で認識できると共に、幅広ページを容易に引き出せる。
【００２７】
切り欠き２１を有する場合は、図４（ｂ）のように、幅広ページ３０の端部３ａを余らせて折りたたむことが好適である。図４（ｂ）の幅広ページ３０は、端部３ａと幅広ページ３０の重複部分３０ａとで表紙２とほぼ同じ判型となるように、折りたたまれている。端部３ａは、重複部分３０ａと重ならないため、表紙２を閉じた状態から、切り欠き２１を介して、端部３ａだけを摘むことが可能となる。なお、幅広ページ３０は、図４（ｃ）のように、折りたたみ方を逆にしてもよい。また、端部３ａの視認性を向上させるため、図４（ｂ）または（ｃ）のように、端部３ａに矢印等の所定のマークを付すことが好適である。
【００２８】
次いで、幅広ページの前小口の形状の好適例について説明する。図５（ａ）は、幅広ページの前小口に引き出し部２２を有する冊子の一例を示す。引き出し部２２は、折りたたまれた状態で、表紙２から突出しているので一目で視認でき、また、表紙２を開かなくても、幅広ページだけを摘むことができる。したがって、ユーザは、幅広ページの存在を一目で認識できると共に、引き出しを容易に行える。なお、引き出し部２２を設けた場合は、端部３ａが重複部分３０ａと重複しないように幅広ページを折りたたまなくてもよいため、第１部分３１ないし第４部分３４の各部分に記載する地図の面積を広くとれる。
【００２９】
また、表紙２の前小口に切り欠き２１を設けると共に幅広ページの前小口に引き出し部２２を設けてもよい。図５（ｂ）は、幅広ページの前小口に設けられた引き出し部２２が表紙２の切り欠き２１側に折られた状態の冊子の一例を示す。幅広ページを引き出す際には、図５（ｃ）のように引き出し部２２を起こす。例えば、書棚で整理するような場合、図５（ｂ）のように引き出し部２２を折っておけるので、引き出し部２２が損傷することが防止される。また、使用する際には引き出し部２２を起こすことで、図５（ａ）の冊子と同様の効果を得ることができる。また、引き出し部２２を通常ページ１０側に折って、引き出し部２２をしおりのように使用してもよい。引き出し部２２は、厚手の紙を用いたりコーティングや樹脂などで補強することが好適である。なお、切り欠き２１又は引き出し部２２は、複数設けてもよい。
【実施例】
【００３０】
上記のような冊子の好適な実施例を説明する。図６（ａ）は、冊子を地図帳として用いた場合の地図帳の斜視図の一例を示す。図６において図１と同一部分には同一の符号を付しその説明は省略する。図６（ｂ）は、表紙２及び幅広ページ３０をめくった状態の斜視図を示す。表紙２をめくり、次いで、幅広ページ３０を表紙２側にめくると、幅広ページ３０の第１部分３１が現れる。
【００３１】
端部３ａをＸ方向へ引くと、図６（ｃ）及び（ｄ）のように、幅広ページ３０が引き出される。幅広ページ３０には、第１部分３１ないし第４部分３４に連続して１枚の地図（以下、全体図という）が記載されている。図６の全体図は、マス目３６により１８個の領域に区切られており、各領域には１〜１８の番号が付される。ユーザは、所望の場所を全体図の中から探し、所望の場所の詳しい地図が記載されているページを、１〜１８の番号を索引として参照することができる。例えば、領域１１には、Ａ駅、Ｂ病院、Ｃ高校があることが表示されているので、ユーザがＡ駅周辺の地図を参照したい場合には、領域１１が記載されたページ（例えばページ１１）を通常ページ１０において開く。
【００３２】
図６（ｅ）は、領域１１が記載された通常ページ１０のページ１１を開いた状態の一例を示す。ページ１１を開くことで、領域１１の地図を全体図よりも縮尺の大きい地図（以下、本図という）で参照することができると同時に、全体図を参照することができる。すなわち、全体図と本図を同時に見渡すことができる。
【００３３】
本実施例の特徴を、Ａ駅から領域１５にあるＤ公園の周辺の地図を参照する場合を例にして説明する。ユーザはＤ公園の場所を知らないので、まず、Ｄ公園を全体図から探し出す。全体図を参照する場合、ユーザは本図を閉じる必要がない。Ｄ公園は領域１５にあると見つけると、ユーザは全体図を開いたまま、ページ１５を開き、Ｄ公園の周辺の地図を参照することができる。
【００３４】
また、例えば、Ａ駅からＤ公園までの経路を探索する場合、全体図と本図とを同時に見渡せなければいったん本図を閉じて表紙の裏などの索引ページ（全体図）を参照する必要があるが、図６の地図帳では本図を開いた状態で、Ａ駅からＤ公園までの経路を探索することができる。
【００３５】
したがって、本実施例の地図帳は、全体図で広域の地図を参照することができ、同時に本図で所定領域の縮尺の大きい詳細な地図を参照することができる。上述のように、本図と表紙の裏などの索引ページとを何回も開き直す必要もない。また、マス目３６のような
索引機能により、本図と全体図とが対応づけられているため、縮尺の異なる２冊の地図を同時に開いている以上の効果が得られる。また、常に、現在開いている本図の場所の全体図における位置を把握できるので、ユーザは、移動方向や分岐場所等までの距離感覚を失うようなことが少ない。
【００３６】
なお、図６（ｄ）では、通常ページ１０の１ページ目に当該地図帳の「利用案内」が、幅広ページ３０の第５部分３５には「施設索引」が記載されている。通常ページ１０の１ページ目や第５部分３５から本図を記載してもよいし、その他どのような内容を記載してもよい。
【００３７】
図７（ａ）は、幅広ページ３０に鉄道路線図を記載した地図帳の一例を示す。鉄道路線図には、各駅名に対応づけて、当該駅周辺の地図が記載されたページ番号が記入されている。幅広ページ３０に鉄道路線図を記載した場合の特徴を説明する。
【００３８】
電車を利用して不案内な目的の場所を訪問する際、駅を起点に目的の場所を探索することがある。例えば、Ａ駅周辺の目的の場所を訪問する場合、鉄道路線図によれば、Ａ駅周辺の地図はページ１１に記載されていることが分かる。ユーザは、鉄道路線図を開いたまま、通常ページ１０でページ１１に記載されたＡ駅周辺の本図を開くことができる。
【００３９】
また、例えば、次にＶ駅周辺の目的の場所を訪問する予定がある場合、本図を閉じることなく、鉄道路線図からＶ駅周辺の地図が記載されたページを見つけることができる。図７（ａ）の鉄道路線図によれば、Ｖ駅周辺の地図はページ７に記載されているので、ユーザは、鉄道路線図を閉じないでページ７を開くことができる。
【００４０】
また、例えば、Ａ駅からＶ駅にいたる経路の駅で、デパートなど目的の施設を探したい場合、全体図を開いたまま、次々に通常ページ１０の本図を開くことができるので、各駅周辺において、所望の施設の有無を迅速に調べることができる。
【００４１】
図７（ｂ）は、幅広ページ３０に首都高速案内図を記載した地図帳の一例を示す。首都高速案内図には、各インターチェンジ（以下、ＩＣという）に対応づけて、当該ＩＣ周辺の場所の地図が記載されたページ番号が記入されている。幅広ページ３０に首都高速案内図を記載した場合の特徴を説明する。
【００４２】
例えば、いろはＩＣ周辺の場所を訪問する場合、首都高速案内図によれば、いろはＩＣ周辺の地図はページ１１に記載されていることが分かる。ユーザは、首都高速案内図を開いたまま、通常ページ１０でページ１１に記載されたいろはＩＣ周辺の本図を開くことができる。
【００４３】
また、例えば、いろはＩＣで首都高速をおりて用事を済ませた後最寄りのＩＣを探す場合では、ユーザは本図を開いたまま、現在の場所の全体図における位置を、本図のページ番号と全体図のマス目（不図示）とを照らし合わせて探すことができる。首都高速案内図には、現在の場所に近いＩＣが記載されているので、最寄りのＩＣを見つけ、当該ＩＣまでの経路を、首都高速案内図を開いたまま、本図を参照することで探索できる。
【００４４】
図７（ｃ）は、幅広ページ３０にＡ駅周辺の事物（店名、施設、公園、祭事、自然地形、イベント、名産品、名所等）の案内情報を記載した地図帳の一例を示す。幅広ページ３０には、各事物の案内情報と対応づけて、当該案内情報が案内する事物周辺の地図が記載された通常ページ１０のページ番号が記入されている。幅広ページ３０に案内情報を記載した場合の特徴を説明する。
【００４５】
例えば、幅広ページ３０に記載された案内情報に係る場所を調べる場合、幅広ページ３０を開いたまま、当該案内情報が案内する事物周辺の場所の地図が記載されたページを開くことができる。また、例えば、通常ページ１０で事物の場所を調べ、再び、幅広ページ３０で案内情報を参照したい場合など、通常ページ１０の該当ページと幅広ページ３０の案内情報とを同時に見渡すことができる。
【００４６】
案内情報を記載した幅広ページを複数設けてもよい。例えば、幅広ページを事物の種別（食事、イベント、自然地形など）に応じて複数設ける。所望の食事を提供するお店を探す場合、食事の案内情報が記載された幅広ページを参照し、幅広ページを開いたまま、通常ページ１０で当該所望のお店の場所を探すことができる。当該お店の場所が遠いなどで他のお店を再度探す場合、通常ページ１０を開いたまま幅広ページの案内情報を参照することができる。また、食事の後は食事の案内情報が記載された幅広ページを折りたたんで収納し、例えばイベント用の案内情報が記載された幅広ページを開き、イベントの開催される場所を通常ページ１０で参照することができる。
【００４７】
なお、図７（ａ）ないし（ｃ）で説明した幅広ページを組み合わせ、図３（ｂ）のように表紙と裏表紙に設けてもよいし、図３（ｃ）のように複数設けてもよい。
【００４８】
図７（ｄ）は、幅広ページ３０にＡ駅周辺の地図を記載したガイドブックの一例を示す。図７（ｄ）のガイドブックの通常ページ１０には、事物の案内情報が記載される。幅広ページ３０に記載されたＡ駅周辺の地図には、事物の案内情報が記載されているページ番号が記入されている。幅広ページ３０にＡ駅周辺の地図を記載したガイドブックの特徴を説明する。
【００４９】
例えば、○○庵の案内情報を参照する場合、Ａ駅周辺の地図を開いたまま、○○庵の案内情報が記載されたページ１６を開くことができる。また、例えば同じページ１６にある××店に興味を持ち、××店の場所を調べたい場合、ページ１６を開いたまま、Ａ駅周辺の地図で××店の場所を調べることができる。本実施例のガイドブックでは、目的の事物の案内情報を得たり、当該案内情報に係る場所を調べる作業を容易に行うことができる。
【００５０】
なお、図３（ｂ）又は（ｃ）のように、複数の幅広ページを設け、鉄道路線図や道路案内図など所定の地図を記載してもよい。
【００５１】
以上、説明したように、本実施例の地図帳又はガイドブックは、幅広ページの内容と通常ページの内容を同時に見渡すことができるので、取り扱い性が格段に向上する。
【図面の簡単な説明】
【００５２】
【図１】左綴じされた冊子の斜視図の一例である。
【図２】左綴じされた冊子において裏表紙の内側に設けられた幅広ページの一例である。
【図３】幅広ページの例を示す図である。
【図４】表紙の小口側に切り欠きを有する冊子の一例である。
【図５】幅広ページの端部に引き出し部を有する冊子の一例である。
【図６】地図帳の斜視図の一例である。
【図７】幅広ページ又は通常ページのページに記載される内容の例を示す図である。
【図８】従来の地図帳の一例を示す図である。
【符号の説明】
【００５３】
２      表紙
１０    通常ページ
２１    切り欠き
２２    引き出し
３０、４０、５０、６０、７０、８０    幅広ページ
【図１】
2005345863.tif 000003
【図２】
2005345863.tif 000004
【図３】
2005345863.tif 000005
【図４】
2005345863.tif 000006
【図５】
2005345863.tif 000007
【図６】
2005345863.tif 000008
【図７】
2005345863.tif 000009
【図８】
2005345863.tif 000010